(57)【要約】【課題】貯水槽内の貯留水を他へ送水・排水するに際し、出来る限り自然力を利用することでエネルギー効率の向上に資する貯水槽構造の提供を図る。【解決手段】貯水槽２の内部に略鉛直方向に延伸する中空管３を配設すると共に、該中空管３の内部に吸水ポンプＰを備えて成る。中空管３は、その開口する下端が貯水槽２の底面２ａから所定間隔を空けて上方に位置するように配設されている。また、吸水ポンプＰは、中空管３の内部において水面位置に合わせて上下移動自在に備えられている。【選択図】  図１
0003187625.tif 000002
【実用新案登録請求の範囲】
【請求項１】
貯水槽の内部に略鉛直方向に延伸する中空管を配設すると共に、該中空管の内部に吸水ポンプを備えて成る貯留水を排水するための貯水槽の構造であって、
前記中空管は、その開口する下端が前記貯水槽の底面から所定間隔を空けて上方に位置するように配設されて成り、
前記吸水ポンプは、前記中空管の内部において水面位置に合わせて上下移動自在に備えられて成ることを特徴とする貯水槽構造。
【請求項２】
前記中空管における高さ方向所定中間位置の周面に、送水管が連結されて成ることを特徴とする請求項１に記載の貯水槽構造。
【請求項３】
前記送水管における前記中空管の周面との連結端が、送水口より下方に位置するように勾配を備えて成ることを特徴とする請求項１または請求項２に記載の貯水槽構造。
【請求項４】
前記中空管の下端に、異物進入阻止部材を設けたことを特徴とする請求項１から請求項３のいずれかに記載の貯水槽構造。
【請求項５】
前記吸水ポンプの上下移動位置に応じて、該吸水ポンプの電源が自動でＯＮ・ＯＦＦされることを特徴とする請求項１から請求項４のいずれかに記載の貯水槽構造。
【考案の詳細な説明】
【技術分野】
【０００１】
本考案は、貯水槽の構造に関し、詳しくは、貯水槽内の貯留水を自然力を利用して他へ送水する貯水槽構造に関するものである。
【背景技術】
【０００２】
従来より、貯水槽における貯留水の排水・送水には、貯水槽内で所定水位を超えた貯留水について自然に溢れ出させて送水管を介して他へ送水する方法や、吸水ポンプにより強制的に汲み上げて他へ移動する方法などが採られている。
【０００３】
しかしながら、所定水位を超えた場合に溢れ出させる方法によれば、貯水槽内に入る貯留水の上方水位のみを排水するもので、貯水槽内の下方水域に滞留水が発生してしまう場合があった。また、貯水槽内への入水量過剰により、排水許容を超えて、垂れ流し状態に溢れ出す可能性もあった。
【０００４】
また、吸水ポンプによる強制排水の方法によれば、吸水ポンプの取水口を貯水槽の下方水域に配置することで、該下方水域の貯留水をも汲み上げて排水することが可能であり、吸水ポンプの吸水量を調整することで入水量過剰にも対応することが可能であるが、貯水槽における吸水ポンプの取水口から水面高さ位置までの水圧分について、貯留水汲み上げに余分なエネルギーを消費することから、取水口が配置される高さ位置によってエネルギー効率の悪いものであった。
【０００５】
さらに、吸水ポンプで貯留水を汲み上げる際に、該貯留水中の浮遊ゴミ等も一緒に吸い込んでしまうこととなって、排水浄化作用を備えていないと共に、機械故障の原因にもなり兼ねないものであった。
【先行技術文献】
【特許文献】
【０００６】
【特許文献１】実開平７−３１９８８号公報
【考案の開示】
【考案が解決しようとする課題】
【０００７】
そこで、本考案は、上記事情に鑑みてなされたものであり、貯水槽内の貯留水を他へ送水・排水するに際し、出来る限り自然力を利用することでエネルギー効率の向上に資する貯水槽構造を提供することを課題としている。
【課題を解決するための手段】
【０００８】
このような課題を解決するために、本考案は、貯水槽の内部に略鉛直方向に延伸する中空管を配設すると共に、該中空管の内部に吸水ポンプを備えて成る貯留水を排水するための貯水槽の構造であって、前記中空管は、その開口する下端が前記貯水槽の底面から所定間隔を空けて上方に位置するように配設されて成り、前記吸水ポンプは、前記中空管の内部において水面位置に合わせて上下移動自在に備えられた構成となっている。
【０００９】
また、本考案は、前記中空管における高さ方向所定中間位置の周面に、送水管が連結された構成を採用し得る。
【００１０】
さらに、本考案は、前記送水管における前記中空管の周面との連結端が、送水口より下方に位置するように勾配を備えた構成を採用することもできる。
【００１１】
またさらに、本考案は、前記中空管の下端に、異物進入阻止部材を設けた構成とすることも可能である。
【００１２】
さらにまた、本考案は、前記吸水ポンプの上下移動位置に応じて、該吸水ポンプの電源が自動でＯＮ・ＯＦＦされる構成を採用することも可能である。
【考案の効果】
【００１３】
本考案に係る貯水槽構造によれば、貯水槽に配設された中空管を介して吸水ポンプにより貯留水を汲み上げ排水する態様となっており、吸水ポンプを中空管内で上下移動自在として、該中空管の取水口と水面の高さ位置が常に略同一とされることで、下端から中空管内に流入した貯留水が貯水槽における貯留水の水面位置まで自然力で上昇し、その後に吸水ポンプで汲み上げて他へ排水することとなって、排水に必要なエネルギー消費の効率化に資するといった、優れた効果を奏する。
【００１４】
また、本考案に係る貯水槽構造によれば、貯留水を汲み上げるための吸水ポンプが中空管内に備えられていることで、該中空管の周壁が防塵壁として作用して、貯留水中に浮遊するゴミ等の中空管内への進入を抑え、排水浄化と機械延命に資するといった、優れた効果を奏する。
【図面の簡単な説明】
【００１５】
【図１】本考案に係る貯水槽構造の第一の実施形態を示す側断面図である。（実施例１）
【図２】本考案に係る貯水槽構造の第二の実施形態を示す側断面図である。（実施例２）
【図３】本考案に係る貯水槽構造の使用態様を示す説明図である。
【考案を実施するための最良の形態】
【００１６】
本考案は、貯水槽２の内部に略鉛直方向に延伸する中空管３を配設すると共に、該中空管３の内部に水面位置に合わせて上下移動自在な吸水ポンプＰを備えたことを最大の特徴とする。
以下、本考案に係る貯水槽構造１の実施形態について、図面を参照しながら説明する。
【００１７】
なお、本考案は、下記構成態様の実施形態に特に限定されるものではなく、本考案の技術的思想の要旨に逸脱しない範囲、すなわち同一の作用効果を発揮し得る範囲において、構成態様を任意に変更することができるものである。
【実施例１】
【００１８】
図１は、本考案に係る貯水槽構造１の第一の実施形態を示す側断面図である。
図面に示すように、本実施形態に係る貯水槽構造１は、貯水槽２の内部に略鉛直方向に延伸する中空管３を配設し、該中空管３の内部に吸水ポンプＰを備えた構成となっている。
【００１９】
ここで、貯水槽２は、壁体により囲われた水槽構造物のほか、貯水池や溜池等、雨水や排水、上水などを貯留するための構造体全てを含む概念である。
【００２０】
中空管３は、少なくとも下端が開口した中空筒状体であって、貯水槽２の内部に略鉛直方向に延伸して配設される。該中空管３は、その開口した下端が、前記貯水槽２の底面２ａから所定間隔を空けて上方に位置するように配設されている。
【００２１】
なお、前記中空管３の下端には、図面に示すように、異物進入阻止部材４が設けられている。該異物進入阻止部材４の具体的構造については、異物の進入を防止可能であれば特に限定はなく、例えば網状体などが考え得る。かかる異物進入阻止部材４を設けることで、中空管３内へ貯留水Ｗに浮遊するゴミ等の進入を防止することが可能となる。
【００２２】
前記中空管３の内部には、吸水ポンプＰが備えられている。該吸水ポンプＰは、貯水槽２に貯留されている貯留水Ｗを汲み上げて外部へ送水するためのものであって、外部送水のための送水管５が備えられている。該吸水ポンプＰは、中空管３内において貯留水Ｗの水面位置に合わせて、上下移動自在に備えられる。かかる吸水ポンプＰが上下に移動する仕組みについては、特に限定はないが、例えば図面に示すような、吸水ポンプＰにフロー体Ｆを備える態様が考え得る。かかる態様を採用することで、貯留水Ｗの水面位置と吸水ポンプＰの取水口Ｐ１とが常に略同一位置となる。なお、吸水ポンプＰが上下移動することから、送水管５についても上下に伸縮可能とすることが望ましい。
【００２３】
なお、前記吸水ポンプＰについて、その上下移動位置に応じて電源が自動でＯＮ・ＯＦＦされる構成態様を採用し得る。すなわち、貯水槽２内の貯留水Ｗの水位が上昇することで、中空管３内の吸水ポンプＰも水位に合わせて上昇することとなるが、該吸水ポンプＰが所定高さ位置まで上昇した場合に自動的に吸水ポンプＰの電源がＯＮとなって、貯留水Ｗが取水口Ｐ１から取り込まれる。逆に、吸水ポンプＰにより貯留水Ｗが貯水槽２から外部へ送水されることで水位が下がれば、中空管３内の吸水ポンプＰも水位に合わせて下降することとなり、該吸水ポンプＰが所定高さ位置まで下降した場合に自動的に吸水ポンプＰの電源がＯＦＦとなって、貯留水Ｗが取水口Ｐ１から取り込まれなくなる。
【００２４】
次に、本実施形態に係る貯水槽構造１における貯留水Ｗの送水態様について、以下に示す。図３は、本考案に係る貯水槽構造１の使用態様を示す説明図である。
【００２５】
すなわち、図面に示すように、貯水槽２に流入された貯留水Ｗは、貯水槽２の内部に貯留される。そして、貯水槽２の内部に貯留された貯留水Ｗの水位が貯水槽２内に配設された中空管３の下端位置よりも上昇することで、該貯留水Ｗは中空管３内に進入しつつ上昇する。このとき、中空管３内に備えられた吸水ポンプＰは、貯留水Ｗの水面位置に合わせて共に上昇する。吸水ポンプＰは、中空管３内に進入した貯留水Ｗを取水口Ｐ１から汲み上げ、送水管５を介して貯水槽２の外部へ送水される。
【実施例２】
【００２６】
図２は、本考案に係る貯水槽構造１の第二の実施形態を示す側断面図である。
図面に示すように、本実施形態に係る貯水槽構造１は、上記第一の実施形態に係る貯水槽構造１において、前記中空管における高さ方向所定中間位置の周面に、送水管６が連結された構成となっている。
【００２７】
送水管６は、前記中空管３の周面に連結されるが、図面では、その周面との連結端が送水口６ａより下方に位置し、すなわち、連結端から送水口６ａにかけて上り勾配となっている。かかる送水管６を備えることで、吸水ポンプＰによる貯留水Ｗの汲み上げ以前に、送水管６を介して該貯留水Ｗを外部へ送水することが可能となる。なお、送水口６ａの高さ位置により、送水管６を介して該送水口６ａから送水される際の貯留水Ｗの水位が決定される。
【００２８】
次に、本実施形態に係る貯水槽構造１における貯留水Ｗの送水態様について、以下に示す。図３は、本考案に係る貯水槽構造１の使用態様を示す説明図である。
【００２９】
すなわち、図面に示すように、貯水槽２に流入された貯留水Ｗは、貯水槽２の内部に貯留される。そして、貯水槽２の内部に貯留された貯留水Ｗの水位が貯水槽２内に配設された中空管３の下端位置よりも上昇することで、該貯留水Ｗは中空管３内に進入しつつ上昇し、それに伴い、中空管３内に備えられた吸水ポンプＰは、貯留水Ｗの水面位置に合わせて共に上昇する。このとき、中空管３内に進入した貯留水Ｗは、該中空管３に連結された送水管６にも進入し、さらに水位が上昇することで、送水口６ａから貯留水Ｗが自然送水されることとなる。さらに吸水ポンプＰは、中空管３内に進入した貯留水Ｗを取水口Ｐ１から汲み上げ、送水管５を介して貯水槽２の外部へ送水される。
【産業上の利用可能性】
【００３０】
本考案に係る貯水槽構造１は、貯水槽２内の貯留水Ｗを他へ送水・排水するに際し、出来る限り自然力を利用することでエネルギー効率の向上に資するもので、貯水槽２として下水管や貯水地を用いることができ、貯留水Ｗとして生活用水等の汚水や雨水に好適に用いることが可能であって、本考案の産業上の利用可能性は大であると思料する。
【符号の説明】
【００３１】
１    貯水槽構造
２    貯水槽
２ａ  底面
３    中空管
４    異物進入阻止部材
５    送水管
６    送水管
６ａ  送水口
Ｆ    フロー体
Ｐ    吸水ポンプ
Ｐ１  取水口
Ｗ    貯留水
【図１】
0003187625.tif 000003
【図２】
0003187625.tif 000004
【図３】
0003187625.tif 000005